(57)【要約】【課題】地上波アナログ放送のＶＢＩから番組データを取得する場合、一定時間ホスト局を選局しなければならないため、通常視聴に利用するチューナ以外に番組取得用のチューナが必要となる。【解決手段】番組データを取得できるようにＯＳＤでメッセージを表示して誘導するとともに、可能な限りチューナをホスト局へ向けることにより番組データ取得機会を向上させ、通常使用であれば１チューナでも番組データを取得できるようになる。【選択図】図１
2005065009.tif 000002
【特許請求の範囲】
【請求項１】
地上波アナログ放送を受信する受信手段と、番組情報、時刻情報、及び前記時刻情報の取得を誘導する情報を記憶する記憶手段と、前記受信手段からの地上波アナログ放送、前記記憶手段からの番組情報または前記記憶手段からの時刻情報の取得を誘導する情報を表示する表示手段と、所望のチャンネルの地上波アナログ放送を前記表示手段に表示している場合にユーザから番組表表示要求があった場合は、前記記憶手段に前記時刻情報が記憶されているか否かの判断を行い、記憶されていないと判断した場合は、前記記憶手段に記憶された時刻情報の取得を誘導する情報を前記所望のチャンネルの地上波アナログ放送の表示に切り替えて前記表示手段に表示すると共に前記受信手段に所定のチャンネルを選局させて時刻情報を取得させ、前記時刻情報の取得後に前記受信手段に前記所望のチャンネルを選局させると共に番組表を前記表示手段に表示する制御手段とを具備することを特徴とする番組データ取得装置。
【発明の詳細な説明】
【技術分野】
【０００１】
本発明は、番組データ取得装置に関し、更に詳しくは、１チューナのみでユーザ視聴とＶＢＩ（Ｖｅｒｔｉｃａｌ  Ｂｌａｎｋｉｎｇ  Ｉｎｔｅｒｖａｌ：垂直帰線消去期間）から番組データを取得する装置に関するものである。
【背景技術】
【０００２】
従来、ＥＰＧ（Ｅｌｅｃｔｒｏｎｉｃ  Ｐｒｏｇｒａｍ  Ｇｕｉｄｅ：電子番組ガイド）の番組データを渡す方法として、地上波アナログ放送のＶＢＩを利用する方法がある。この番組データを取得するためには、番組データの送出期間は送出を行っているチャンネル（ホスト局）を選局していなければならない。このため、従来はチューナを２つ用意し、１つは通常の視聴用、もう１つを番組データ取得用として利用していた（例えば、特許文献１参照）。また、ホスト局は１分毎に時刻情報も送出しており、最大１分間ホスト局を選局することで時刻情報を取得することができる。
【特許文献１】特開２０００−２７０２７７号公報
【発明の開示】
【発明が解決しようとする課題】
【０００３】
上記のように、番組データを取得する場合には、視聴用のチューナとは別に取得用のチューナが必要であったが、取得用のチューナを用意するとその分の費用が発生するという問題が発生する。
【０００４】
本発明は、番組データ取得用のチューナを用意しなくとも、１つのチューナのみで視聴と番組データ取得を行う番組データ取得装置を提供することを目的とする。
【課題を解決するための手段】
【０００５】
１チューナで番組データが取得するために、可能な限りチューナをホスト局へ向ける必要がある。そのため、ＯＳＤ（Ｏｎ  Ｓｃｒｅｅｎ  Ｄｉｓｐｌａｙ）によって番組データを取得できるように誘導するとともに、視聴のためにチューナを利用していないときはホスト局を選局するようにする。
【発明の効果】
【０００６】
本発明により、１チューナでも番組データ取得機会の向上が期待できるため、通常利用であれば問題なく番組データを取得することができる。
【発明を実施するための最良の形態】
【０００７】
（実施の形態１）
図１は、本発明装置の実施の形態の一例のブロック図である。地上波アナログ放送用のアンテナ１０１とチューナ１０２で地上波アナログ放送を受信し、ホスト局が番組データを送出しているときにチューナ１０２でホスト局を選局することで番組データを取得することができる。取得した番組データは記憶部１１１に記憶される。ＡＶ入力部１０３はコンポジット端子や、Ｄ端子等の入力が入る。切替部１０４はチューナ１０２とＡＶ入力部１０３の各入力を切り替えて表示するソースを決定する。ユーザが入力部１０５を操作すると、電源オン状態であればその操作はスタンバイ制御部１１４を通り制御部１０６に伝わる。制御部１０６はユーザ操作に従いチューナ１０２や切替部１０４を制御し、ユーザの指示したソースを選択する。切替部１０４で選択されたソースは映像処理部１０７を通り、ＯＳＤ制御部１０８からのＯＳＤと合成部１０９で合成され、表示部１１０で表示される。ＯＳＤ制御部１０８は、制御部１０６の指令により記憶部１１１に記憶されているメッセージを状況に応じて選択し、表示する。
【０００８】
ユーザがビデオレコーダ等の接続機器をＡＶ入力部１０３に接続しＡＶ入力からのソースを視聴しているときは、チューナ１０２をホスト局に向けてもユーザにはわからないのでホスト局を選局するようにする。つまり、制御部１０６は、切替部でチューナ１０２からのソースを選択しているか判断し、選択していなければチューナ１０２に対し、ホスト局を選局するように指示する。また、入力１０５で地上波アナログ放送のソースを選択した場合は、記憶部１１１に記憶させておいた前回視聴チャンネルを選局し、１０２からの入力ソースに切り替えるようにする。
【０００９】
電源制御部１１２は電源の状態を制御し、電源オフ状態は、主電源オフ状態、スタンバイ状態、機能待機状態の３つの状態を管理する。
【００１０】
主電源オフ状態とは、すべての電源がオフ状態で、本体の電源スイッチが切れた状態である。スタンバイ状態とは、スタンバイ制御部１１４のみの動作で、リモコンの電源ボタンによりオフした状態である。機能待機状態とは、管面がオフなだけで、それ以外は電源オンと同様の状態である。
【００１１】
スタンバイ状態と機能待機状態は電源制御部１１２の指示により切り替わり、番組データを取得中は機能待機状態にしチューナ１０２でホスト局を選局して番組データを取得し、取得完了時にスタンバイ状態にする。番組データがない状態でリモコン電源オフされた場合は必ず機能待機状態にし、ホスト局を選局させることで番組データの取得を可能にしている。また番組データがすでに取得済みの状態でリモコン電源オフされたときは、番組データの中に次の番組データ送出時間も含まれているため、取得時間になるまでスタンバイ状態とし、取得時間になったら機能待機状態へ遷移するようにする。取得時間までの計測は計測部１１３を利用することで実現する。また主電源オフの状態はすべての電源がオフなので番組データの取得も実行できない。従って、リモコン電源オフを推奨することで、ユーザがテレビジョンを使用していないときに自動的に番組データを取得することが可能である。
【００１２】
図２はユーザがチューナ１０２を利用して番組を視聴中以外は番組データを取得できる状態に誘導し、番組データの取得機会を増やすためのＯＳＤメッセージ例である。ＯＳＤ１は設置設定を行った場合に表示するメッセージである。設置設定とはユーザが購入して初めて電源入れた場合などに必ず行うチャンネル設定や番組データ取得のホスト局を設定する場面である。この設置設定が行われたときに、ホスト局を選局するとともにＯＳＤ１を表示することでユーザは番組データの取得方法を知ることができる。ＯＳＤ２はＥＰＧを閲覧しようと入力部１０５をユーザが操作したときに、時刻情報がなければ表示する。時刻情報はホスト局を最大１分選局することで得られるので、時刻情報が得られるまではＯＳＤ２を表示しつづける。ＯＳＤ３はＯＳＤ２と同様に番組データが取得できていない場面で表示される。ＯＳＤ２は時刻が取得できるまで、ＯＳＤ３は番組データが取得できるまで表示されつづけるが、戻るキーによってＯＳＤ表示を解除し、通常の視聴状態に戻すことができる。
【００１３】
図３は図２のＯＳＤを行うときの判断フローチャートである。まず、設置設定状態か判断を行い（Ｓ３０１）、設置設定状態ならばＯＳＤ１の表示を行い（Ｓ３０２）、番組データを取得するための方法を示す。設置設定状態ではないときは、番組表キーを押したか確認し（Ｓ３０３）、押されたならば時刻情報の確認を行う（Ｓ３０４）。なお、Ｓ３０３は番組表キーのみではなく番組内容キーや通常メニューからの遷移等のＥＰＧへの遷移を行うものはすべて当てはまる。時刻情報がない場合はＯＳＤ２表示を全画面で行い（Ｓ３０５）、ホスト局を選局し、時刻情報がとれるまでユーザを待たせる。Ｓ３０４で時刻情報があった場合や、Ｓ３０５で時刻情報が取得できた場合は、番組データがあるかどうかの判断を行う（Ｓ３０６）。番組データは記憶部１１１に蓄積しているので、記憶部１１１を確認し、番組データがあればＥＰＧを表示し（Ｓ３０７）、なければＯＳＤ３を表示する（Ｓ３０８）。
【００１４】
図４はユーザがＥＰＧを閲覧しようとした場合の遷移図である。現在視聴中が８チャンネル、ホスト局が４チャンネルの場合で説明する。４Ａは８チャンネルを視聴しており、番組表キーが押された場合は４ＣのＥＰＧへ遷移する。時刻情報がとれていない場合は４ＢのようにＯＳＤを全画面表示することで視聴映像を隠し、音声とモニターアウトを停止してから、チューナ１０２を８チャンネルから４チャンネルのホスト局へ変更する。ホスト局に選局するために視聴していた映像は切り替わってしまうが、ＯＳＤ２を全画面で表示しているために、映像が切り換わったかどうかはわからない。また、ＯＳＤ２を表示しているときは音声とモニターアウトを停止することにより、チャンネルが切り換わっていることをユーザに分からないようにする。時刻情報が取得できると、４ＣのＥＰＧを表示する。番組データがない場合は４Ｄのように全画面でＯＳＤ３を表示しホスト選局する。４Ｄも４Ｂと同様に全画面でＯＳＤを表示し、音声とモニターアウトを停止することで、ユーザはホスト局を選局していることが分からない。
【００１５】
なお、本実施の形態ではＥＰＧ遷移するときのメッセージ表示時は、ユーザにホスト局を選局したことを気づかせないようにしているが、ユーザに選局していることが分かるように実現してもよい。なお、本実施の形態ではホスト局から時刻情報を取得しているが、時計を自分自身で持つように実現してもよいし、デジタル放送対応の場合はそこから時刻情報を取得してもよい。なお、主電源オン時など時刻や番組データが取得できていない場合は強制的にホスト局を選局するようにしてもよい。
【産業上の利用可能性】
【００１６】
本発明の１チューナでの番組データ取得装置は、番組データ取得専用のチューナを用意しなくとも通常利用であれば番組データの取得ができ、テレビジョン、ビデオレコーダ、ＤＶＤレコーダ等に搭載するチューナを削減する手段として有用である。
【図面の簡単な説明】
【００１７】
【図１】本発明の実施の形態１における番組データ取得装置のブロック図
【図２】本発明の実施の形態１における取得率を上げるためのＯＳＤを示す図
【図３】本発明の実施の形態１におけるＯＳＤ条件を示すフローチャート
【図４】本発明の実施の形態１におけるＥＰＧ表示までの遷移図
【符号の説明】
【００１８】
１０１    地上波アナログ放送用のアンテナ
１０２    地上波アナログ放送用のチューナ
１０３    ＡＶ入力部
１０４    切替部
１０５    入力部
１０６    制御部
１０７    映像処理部
１０８    ＯＳＤ制御部
１０９    合成部
１１０    表示部
１１１    記憶部
１１２    電源制御部
１１３    計測部
１１４    スタンバイ制御部
【図１】
2005065009.tif 000003
【図２】
2005065009.tif 000004
【図３】
2005065009.tif 000005
【図４】
2005065009.tif 000006